(57)【要約】【課題】電子アルバムに含まれる画像をスライドショーとして表示している場合に、表示画像に関連する画像を利用者に参照させる。【解決手段】複数の画像をフレーム画像として含むビデオストリームを格納しているビデオストリーム格納部と、ビデオストリームを再生する再生部と、再生部を遠隔操作するリモートコントローラと、ビデオストリームを表示する表示部とを備え、リモートコントローラは、複数の画像のうち少なくとも一部の画像のそれぞれについて画像情報を格納している画像情報格納部と、再生されている画像における画像情報、及び少なくとも一部の画像のそれぞれにおける画像情報の関連度に基づいて関連画像を選択する関連画像選択部と、ビデオストリームの再生位置を関連画像の位置に変更させるべく、再生部を遠隔操作する遠隔操作部とを有する電子アルバム表示システムを提供する。【選択図】図１
2005341510.tif 000002
【特許請求の範囲】
【請求項１】
複数の画像を含む電子アルバムを表示する電子アルバム表示システムであって、
前記複数の画像をフレーム画像として含むビデオストリームを格納しているビデオストリーム格納部と、
前記ビデオストリームを再生する再生部と、
無線通信によって前記再生部を遠隔操作するリモートコントローラと、
前記再生部により再生される前記ビデオストリームを表示する表示部と
を備え、
前記リモートコントローラは、
前記複数の画像のうち、少なくとも一部の画像のそれぞれについて、当該画像に固有の情報である画像情報を格納している画像情報格納部と、
前記再生部により再生されている前記画像における前記画像情報、及び前記少なくとも一部の画像のそれぞれにおける前記画像情報の関連度に基づいて、前記少なくとも一部の画像に含まれる前記画像を、関連画像として選択する関連画像選択部と、
前記再生部における前記ビデオストリームの再生位置を、前記関連画像の位置に変更させるべく、前記再生部を遠隔操作する遠隔操作部と
を有する電子アルバム表示システム。
【請求項２】
前記画像情報格納部は、前記少なくとも一部の画像のそれぞれについて、当該画像の撮像日時を示す撮像日時情報を格納しており、
前記関連画像選択部は、前記少なくとも一部の画像に含まれる一の前記画像の撮像日時、及び前記再生部により再生されている前記画像の撮像日時の差が、予め定められた基準値より小さい場合に、当該一の画像を前記関連画像として選択する
請求項１に記載の電子アルバム表示システム。
【請求項３】
前記画像情報格納部は、前記少なくとも一部の画像のそれぞれについて、当該画像の撮像地点を示す撮像地点情報を格納しており、
前記関連画像選択部は、前記少なくとも一部の画像に含まれる一の前記画像の撮像地点、及び前記再生部により再生されている前記画像の撮像地点の差が、予め定められた基準値より小さい場合に、当該一の画像を前記関連画像として選択する
請求項１に記載の電子アルバム表示システム。
【請求項４】
前記画像情報格納部は、前記少なくとも一部の画像のそれぞれについて、当該画像の内容を示す画像内容情報を格納しており、
前記関連画像選択部は、前記少なくとも一部の画像のそれぞれにおける前記画像内容情報、及び前記再生部により再生されている前記画像における前記画像内容情報の関連度に基づいて、前記少なくとも一部の画像から前記関連画像を選択する
請求項１に記載の電子アルバム表示システム。
【請求項５】
前記画像情報格納部は、前記少なくとも一部の画像のそれぞれについて、当該画像の特徴を示すキーワードを格納しており、
前記関連画像選択部は、前記少なくとも一部の画像のそれぞれにおけるキーワード、及び前記再生部により再生されている前記画像におけるキーワードの関連度に基づいて、前記少なくとも一部の画像から前記関連画像を選択する
請求項１に記載の電子アルバム表示システム。
【請求項６】
前記リモートコントローラは、
当該リモートコントローラから前記表示部への方向に対して略同一の方向に指向性を有する、光を検出する光検出部と、
前記光検出部により検出された光の量の変化に基づいて、前記表示部により表示されている前記画像が変化するタイミングを検出する画像変化検出部と
を更に有し、
前記関連画像選択部は、前記画像変化検出部により検出されたタイミングに基づいて判定した、前記表示部により表示されている前記画像における前記画像情報、及び前記少なくとも一部の画像のそれぞれにおける前記画像情報の関連度に基づいて、前記関連画像を選択する
請求項１に記載の電子アルバム表示システム。
【請求項７】
前記関連画像選択部は、複数の前記関連画像を連続して選択する場合に、当該複数の関連画像のうち、既に選択された前記関連画像のそれぞれが選択された時点で再生されていた前記画像のすべて、及び前記再生部により現在再生されている前記画像に共通する前記画像情報、並びに前記少なくとも一部の画像のそれぞれにおける前記画像情報の関連度に基づいて、前記少なくとも一部の画像から前記関連画像を選択する請求項１に記載の電子アルバム表示システム。
【請求項８】
複数の画像を含む電子アルバムを表示する電子アルバム表示方法であって、
ビデオストリーム格納部は、前記複数の画像をフレーム画像として含むビデオストリームを格納しており、
当該電子アルバム表示方法は、
再生部が前記ビデオストリームを再生する再生段階と、
リモートコントローラが無線通信によって前記再生部を遠隔操作するリモートコントロール段階と、
前記再生段階において再生される前記ビデオストリームを表示する表示段階と
を備え、
前記リモートコントローラは、
前記複数の画像のうち、少なくとも一部の画像のそれぞれについて、当該画像に固有の情報である画像情報を格納している画像情報格納部
を有し、
前記リモートコントロール段階は、
前記再生段階において再生されている前記画像における前記画像情報、及び前記少なくとも一部の画像のそれぞれにおける前記画像情報の関連度に基づいて、前記少なくとも一部の画像に含まれる前記画像を、関連画像として選択する関連画像選択段階と、
前記再生段階における前記ビデオストリームの再生位置を、前記関連画像の位置に変更させるべく、前記再生部を遠隔操作する遠隔操作段階と
を有する電子アルバム表示方法。
【請求項９】
ビデオストリームを再生する再生部を、無線通信によって遠隔操作するリモートコントローラであって、
前記ビデオストリームは複数の画像をフレーム画像として含み、
当該リモートコントローラは、
前記複数の画像のうち、少なくとも一部の画像のそれぞれについて、当該画像に固有の情報である画像情報を格納している画像情報格納部と、
前記再生部により再生されている前記画像における前記画像情報、及び前記少なくとも一部の画像のそれぞれにおける前記画像情報の関連度に基づいて、前記少なくとも一部の画像に含まれる前記画像を、関連画像として選択する関連画像選択部と、
前記再生部における前記ビデオストリームの再生位置を、前記関連画像の位置に変更させるべく、前記再生部を遠隔操作する遠隔操作部と
を備えるリモートコントローラ。
【請求項１０】
ビデオストリームを再生する再生部を無線通信によって遠隔操作するリモートコントローラを機能させるリモートコントロールプログラムであって、
前記ビデオストリームは複数の画像をフレーム画像として含み、
当該リモートコントロールプログラムは、
前記リモートコントローラを、
前記複数の画像のうち、少なくとも一部の画像のそれぞれについて、当該画像に固有の情報である画像情報を格納している画像情報格納部と、
前記再生部により再生されている前記画像における前記画像情報、及び前記少なくとも一部の画像のそれぞれにおける前記画像情報の関連度に基づいて、前記少なくとも一部の画像に含まれる前記画像を、関連画像として選択する関連画像選択部と、
前記再生部における前記ビデオストリームの再生位置を、前記関連画像の位置に変更させるべく、前記再生部を遠隔操作する遠隔操作部と
を備えるリモートコントローラとして機能させるリモートコントロールプログラム。
【発明の詳細な説明】
【技術分野】
【０００１】
本発明は、電子アルバム表示システム、電子アルバム表示方法、リモートコントローラ、及びリモートコントロールプログラムに関する。特に本発明は、複数の画像を含む電子アルバムを表示する電子アルバム表示システム、及び電子アルバム表示方法、並びに当該電子アルバム表示システムにおいて用いられるリモートコントローラ、及びリモートコントロールプログラムに関する。
【背景技術】
【０００２】
近年、デジタルカメラが急速に普及しており、デジタルカメラの利用者は、プリントされていないデジタル画像データを数多く所有している。また、近年、ネガフィルムやプリント済みの写真をデジタイズし、デジタル画像データを作成するサービスが行われている。しかし、利用者がこれらのデジタル画像データを参照するためには、パーソナルコンピュータ等の情報機器を利用する必要があり、手軽さに欠けていた。
【０００３】
そこで、デジタル画像データをＭＰＥＧ２フォーマット等のビデオストリームとして加工して、ＤＶＤ−Ｖｉｄｅｏディスク等を作成することにより、利用者が、ＤＶＤプレイヤー等を用いて、当該デジタル画像データをスライドショー形式で参照することができる技術が公開されている（例えば、特許文献１参照。）。
【０００４】
【特許文献１】特開２００３−２５９３０３
【発明の開示】
【発明が解決しようとする課題】
【０００５】
しかしながら、特許文献１に記載の技術によれば、既に作成されたＤＶＤ−Ｖｉｄｅｏディスクに対して、スライドショーとして表示される画像の構成及び順序を変更することはできず、異なる構成及び順序で画像を表示する場合には、元のデジタル画像データから他のＤＶＤ−Ｖｉｄｅｏディスクを作成する必要があった。このため、利用者が、作成されたＤＶＤ−Ｖｉｄｅｏディスクを用いたスライドショーの内容に満足していない場合であっても、その内容を手軽に修正することができないという問題があった。
【０００６】
また、特許文献１に記載の技術に係るスライドショーにおいて、利用者が、表示されている画像に関連する他の画像を参照したいと所望する場合には、ビデオストリームの再生位置を手動で変更させながら当該他の画像を検索する以外に、利用者の意図を実現する方法がなく、利用者にとって負担が大きい上に、非効率であった。
【０００７】
そこで本発明は、上記の課題を解決することができ電子アルバム表示システム、電子アルバム表示方法、リモートコントローラ、及びリモートコントロールプログラムを提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するために、本発明の第１の形態においては、複数の画像を含む電子アルバムを表示する電子アルバム表示システムであって、複数の画像をフレーム画像として含むビデオストリームを格納しているビデオストリーム格納部と、ビデオストリームを再生する再生部と、無線通信によって再生部を遠隔操作するリモートコントローラと、再生部により再生されるビデオストリームを表示する表示部とを備え、リモートコントローラは、複数の画像のうち、少なくとも一部の画像のそれぞれについて、当該画像に固有の情報である画像情報を格納している画像情報格納部と、再生部により再生されている画像における画像情報、及び少なくとも一部の画像のそれぞれにおける画像情報の関連度に基づいて、少なくとも一部の画像に含まれる画像を、関連画像として選択する関連画像選択部と、再生部におけるビデオストリームの再生位置を、関連画像の位置に変更させるべく、再生部を遠隔操作する遠隔操作部とを有する。
【０００９】
画像情報格納部は、少なくとも一部の画像のそれぞれについて、当該画像の撮像日時を示す撮像日時情報を格納しており、関連画像選択部は、少なくとも一部の画像に含まれる一の画像の撮像日時、及び再生部により再生されている画像の撮像日時の差が、予め定められた基準値より小さい場合に、当該一の画像を関連画像として選択してもよい。画像情報格納部は、少なくとも一部の画像のそれぞれについて、当該画像の撮像地点を示す撮像地点情報を格納しており、関連画像選択部は、少なくとも一部の画像に含まれる一の画像の撮像地点、及び再生部により再生されている画像の撮像地点の差が、予め定められた基準値より小さい場合に、当該一の画像を関連画像として選択してもよい。
【００１０】
画像情報格納部は、少なくとも一部の画像のそれぞれについて、当該画像の内容を示す画像内容情報を格納しており、関連画像選択部は、少なくとも一部の画像のそれぞれにおける画像内容情報、及び再生部により再生されている画像における画像内容情報の関連度に基づいて、少なくとも一部の画像から関連画像を選択してもよい。画像情報格納部は、少なくとも一部の画像のそれぞれについて、当該画像の特徴を示すキーワードを格納しており、関連画像選択部は、少なくとも一部の画像のそれぞれにおけるキーワード、及び再生部により再生されている画像におけるキーワードの関連度に基づいて、少なくとも一部の画像から関連画像を選択してもよい。
【００１１】
リモートコントローラは、当該リモートコントローラから表示部への方向に対して略同一の方向に指向性を有する、光を検出する光検出部と、光検出部により検出された光の量の変化に基づいて、表示部により表示されている画像が変化するタイミングを検出する画像変化検出部とを更に有し、関連画像選択部は、画像変化検出部により検出されたタイミングに基づいて判定した、表示部により表示されている画像における画像情報、及び少なくとも一部の画像のそれぞれにおける画像情報の関連度に基づいて、関連画像を選択してもよい。関連画像選択部は、複数の関連画像を連続して選択する場合に、当該複数の関連画像のうち、既に選択された関連画像のそれぞれが選択された時点で再生されていた画像のすべて、及び再生部により現在再生されている画像に共通する画像情報、並びに少なくとも一部の画像のそれぞれにおける画像情報の関連度に基づいて、少なくとも一部の画像から関連画像を選択してもよい。
【００１２】
また、本発明の第２の形態においては、複数の画像を含む電子アルバムを表示する電子アルバム表示方法であって、ビデオストリーム格納部は、複数の画像をフレーム画像として含むビデオストリームを格納しており、当該電子アルバム表示方法は、再生部がビデオストリームを再生する再生段階と、リモートコントローラが無線通信によって再生部を遠隔操作するリモートコントロール段階と、再生段階において再生されるビデオストリームを表示する表示段階とを備え、リモートコントローラは、複数の画像のうち、少なくとも一部の画像のそれぞれについて、当該画像に固有の情報である画像情報を格納している画像情報格納部を有し、リモートコントロール段階は、再生段階において再生されている画像における画像情報、及び少なくとも一部の画像のそれぞれにおける画像情報の関連度に基づいて、少なくとも一部の画像に含まれる画像を、関連画像として選択する関連画像選択段階と、再生段階におけるビデオストリームの再生位置を、関連画像の位置に変更させるべく、再生部を遠隔操作する遠隔操作段階とを有する。
【００１３】
また、本発明の第３の形態においては、ビデオストリームを再生する再生部を、無線通信によって遠隔操作するリモートコントローラであって、ビデオストリームは複数の画像をフレーム画像として含み、当該リモートコントローラは、複数の画像のうち、少なくとも一部の画像のそれぞれについて、当該画像に固有の情報である画像情報を格納している画像情報格納部と、再生部により再生されている画像における画像情報、及び少なくとも一部の画像のそれぞれにおける画像情報の関連度に基づいて、少なくとも一部の画像に含まれる画像を、関連画像として選択する関連画像選択部と、再生部におけるビデオストリームの再生位置を、関連画像の位置に変更させるべく、再生部を遠隔操作する遠隔操作部とを備える。
【００１４】
また、本発明の第４の形態においては、ビデオストリームを再生する再生部を無線通信によって遠隔操作するリモートコントローラを機能させるリモートコントロールプログラムであって、ビデオストリームは複数の画像をフレーム画像として含み、当該リモートコントロールプログラムは、リモートコントローラを、複数の画像のうち、少なくとも一部の画像のそれぞれについて、当該画像に固有の情報である画像情報を格納している画像情報格納部と、再生部により再生されている画像における画像情報、及び少なくとも一部の画像のそれぞれにおける画像情報の関連度に基づいて、少なくとも一部の画像に含まれる画像を、関連画像として選択する関連画像選択部と、再生部におけるビデオストリームの再生位置を、関連画像の位置に変更させるべく、再生部を遠隔操作する遠隔操作部とを備えるリモートコントローラとして機能させる。
【００１５】
なお、上記の発明の概要は、本発明の必要な特徴の全てを列挙したものではなく、これらの特徴群のサブコンビネーションもまた、発明となりうる。
【発明の効果】
【００１６】
本発明によれば、電子アルバムに含まれる画像を、既に作成されたビデオストリームにおける構成及び順序とは異なる構成及び順序でスライドショーとして表示することができると共に、表示されている画像に関連する画像を、利用者に、容易に参照させることができる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本発明の実施形態に係る電子アルバム表示システム１０の構成の一例を示すブロック図である。電子アルバム表示システム１０は、複数の画像を含む電子アルバムを、当該複数の画像が順次切り替わるスライドショーとして表示する。電子アルバム表示システム１０は、ＤＶＤ−Ｖｉｄｅｏディスク１００、ＤＶＤ−Ｖｉｄｅｏ再生装置１１０、スケジュール生成装置１２０、リモートコントローラ１３０、及び表示部１４０を備える。また、リモートコントローラ１３０は、メモリカード２００、遠隔操作部２１０、光検出部２２０、画像変化検出部２３０、関連画像再生指示部２４０、及び関連画像選択部２５０を有する。
【００１９】
ＤＶＤ−Ｖｉｄｅｏディスク１００は、本発明におけるビデオストリーム格納部の一例であり、電子アルバムに含まれる複数の画像をフレーム画像として含むビデオストリームを格納している。具体的には、当該ビデオストリームは、ＭＰＥＧ２フォーマットのビデオストリームであり、電子アルバムに含まれる複数の画像のそれぞれを、例えば３秒等の予め定められた時間だけ連続するフレーム画像として含む。例えば、当該ビデオストリームは、電子アルバムに含まれる複数の画像のそれぞれを、ＭＰＥＧ２フォーマットにおける、他のフレーム画像を用いることなく再生可能なフレーム画像であるＩピクチャとして含むと共に、当該Ｉピクチャに予め定められた時間だけ続くフレーム画像として、差分が０であるＢピクチャまたはＰピクチャを含んでいてよい。
【００２０】
また、当該ビデオストリームは、電子アルバムに含まれる複数の画像を示すフレーム画像に加えて、それぞれの画像が切り替わる位置に、例えばワイプ等のトランジション効果を示すフレーム画像を含んでいてもよく、また、それぞれの画像もしくは連続する一連の画像に先だって、当該画像のタイトル等を示すフレーム画像を含んでいてもよい。また、当該ビデオストリームは、電子アルバムに含まれる複数の画像のそれぞれに対するアクセスを容易にするべく、当該画像を示す１以上の連続するフレーム画像を、ＤＶＤ−Ｖｉｄｅｏ規格におけるＰＴＴ（Ｐａｒｔ  ｏｆ  Ｔｉｔｌｅ）、即ちチャプターとして定義してよい。
【００２１】
ＤＶＤ−Ｖｉｄｅｏディスク１００は、ＤＶＤ−ＲＯＭやＤＶＤ−Ｒ等の書き換え不可能な記録媒体、及びＤＶＤ−ＲＷ等の書き換え可能な記録媒体の何れであってもよいが、記録されたビデオストリームを利用者が誤って消去してしまう危険性が低いので、書き換え不可能な記録媒体であることが好ましい。ＤＶＤ−Ｖｉｄｅｏディスク１００は、例えば、利用者からの依頼を受けたラボ等のサービスプロバイダによって、利用者により提出されたネガフィルム、プリント済みの写真、及びデジタルカメラの記録媒体等を用いて作成されてよい。そして、利用者は、作成されたＤＶＤ−Ｖｉｄｅｏディスク１００をＤＶＤプレイヤー等で再生することにより、電子アルバムに含まれる複数の画像が、ＤＶＤ−Ｖｉｄｅｏディスク１００の作成時に予め定められたスケジュールで切り替わって表示されるスライドショーとして楽しむことができる。
【００２２】
ここで、スケジュールとは、スライドショーとして再生及び表示される画像の構成、画像が再生及び表示される順序、及びそれぞれの画像が再生及び表示される時間等を示す情報を含んでいる。つまり、予め定められたスケジュールとは、電子アルバムに含まれる複数の画像が、ＤＶＤ−Ｖｉｄｅｏディスク１００に格納されているビデオストリームにフレーム画像として含まれる順序で、それぞれの画像を示すフレーム画像が連続する時間だけ、順次表示されるスケジュールを示す。
【００２３】
本発明の実施形態に係る電子アルバム表示システム１０は、電子アルバムに含まれる画像が予め定められたスケジュールで表示されるべく作成されたビデオストリームを格納しているＤＶＤ−Ｖｉｄｅｏディスク１００を用いる場合であっても、電子アルバムに含まれる画像を、当該ビデオストリームにおける予め定められたスケジュールとは異なるスケジュールでスライドショーとして表示することを目的とする。
また、本発明の実施形態に係る電子アルバム表示システム１０は、スライドショーの表示中に、画像を表示するスケジュールに関わりなく、表示している画像に関連する他の画像を表示することを更なる目的とする。
【００２４】
ＤＶＤ−Ｖｉｄｅｏ再生装置１１０は、例えばＤＶＤプレイヤーであり、ＤＶＤ−Ｖｉｄｅｏディスク１００に格納されているビデオストリームを再生し、当該ビデオストリームを示す映像信号を表示部１４０に出力する。また、ＤＶＤ−Ｖｉｄｅｏ再生装置１１０は、ＤＶＤ−Ｖｉｄｅｏディスク１００に格納されているオーディオストリームを再生し、当該オーディオストリームを示す音声信号を表示部１４０に出力してもよい。また、ＤＶＤ−Ｖｉｄｅｏ再生装置１１０は、赤外線受光器等の無線通信手段を有し、リモートコントローラ１３０と無線通信を行う。なお、ＤＶＤ−Ｖｉｄｅｏ再生装置１１０は、本発明における再生部の一例である。
【００２５】
スケジュール生成装置１２０は、例えばパーソナルコンピュータであり、利用者の指示に従い、ＤＶＤ−Ｖｉｄｅｏディスク１００に格納されている情報に基づいてスライドショーのスケジュールを生成する。また、スケジュール生成装置１２０は、スライドショーにおいて表示される画像のそれぞれについて、当該画像に固有の情報である画像情報を、ＤＶＤ−Ｖｉｄｅｏディスク１００から取得する。そして、スケジュール生成装置１２０は、生成したスケジュール、及び取得した画像情報をメモリカード２００に記録する。
【００２６】
リモートコントローラ１３０は、例えば赤外線通信等の無線通信によってＤＶＤ−Ｖｉｄｅｏ再生装置１１０を遠隔操作する。メモリカード２００は、リモートコントローラ１３０に対して交換可能に設けられる書き換え可能な記録媒体であり、ＤＶＤ−Ｖｉｄｅｏディスク１００に格納されているビデオストリームに含まれる複数の画像のうち、少なくとも一部の画像を再生するスケジュールを格納している。また、メモリカード２００は、当該少なくとも一部の画像のそれぞれについて、当該画像に固有の情報である画像情報を格納している。ここで、画像情報とは、例えば、画像の撮像日時や撮像地点を示す情報であってよい。メモリカード２００は、例えば、フラッシュメモリ等の不揮発性メモリを有し、リモートコントローラ１３０に設けられたスロットに挿入されることにより、リモートコントローラ１３０に対して交換可能に設けられてよい。なお、メモリカード２００は、本発明における画像情報格納部の一例である。
【００２７】
遠隔操作部２１０は、電子アルバムに含まれる複数の画像のうち、少なくとも一部の画像のそれぞれを、メモリカード２００が格納しているスケジュールに従って再生させるべく、ＤＶＤ−Ｖｉｄｅｏ再生装置１１０を赤外線通信等の無線通信によって遠隔操作する。例えば、遠隔操作部２１０は、赤外線ＬＥＤ等を用いて、ＤＶＤ−Ｖｉｄｅｏ再生装置１１０に赤外線信号を送信することにより、ＤＶＤ−Ｖｉｄｅｏ再生装置１１０を遠隔操作する。ここで、遠隔操作部２１０が行うＤＶＤ−Ｖｉｄｅｏ再生装置１１０の操作とは、例えば、再生の開始、再生の停止、再生の一時停止、次のチャプターへの再生位置の変更、前のチャプターへの再生位置の変更、及び任意のチャプターへの再生位置の変更等である。
【００２８】
一般に、ＤＶＤ−Ｖｉｄｅｏ再生装置１１０が赤外線通信により遠隔操作される場合の通信内容は、ＤＶＤ−Ｖｉｄｅｏ再生装置１１０の機種毎に異なる。そこで、遠隔操作部２１０が、特定の機種のＤＶＤ−Ｖｉｄｅｏ再生装置１１０のみに対応可能としてではなく、多様な機種のＤＶＤ−Ｖｉｄｅｏ再生装置１１０に対応可能として設けられる場合、遠隔操作部２１０は、例えば、ＤＶＤ−Ｖｉｄｅｏ再生装置１１０の機種毎、及び当該機種における操作種別毎の、赤外線信号の波形等により示される通信内容を予め格納しており、利用者により指定されたＤＶＤ−Ｖｉｄｅｏ再生装置１１０の機種に応じた波形の赤外線信号を送出することにより、多様な機種のＤＶＤ−Ｖｉｄｅｏ再生装置１１０を制御してよい。なお、遠隔操作部２１０は、赤外線通信に代えて、ブルートゥース等の他の無線通信によりＤＶＤ−Ｖｉｄｅｏ再生装置１１０を遠隔操作してもよい。また、遠隔操作部２１０は、ＤＶＤ−Ｖｉｄｅｏ再生装置１１０を遠隔操作することにより再生を指示した画像、及び当該画像に対応する画像情報を、関連画像選択部２５０に出力する。
【００２９】
光検出部２２０は、例えばフォトダイオード等の光検出器を含み、光を検出する。ここで、光検出部２２０は、リモートコントローラ１３０から表示部１４０への方向に対して略同一の方向に指向性を有する。具体的には、光検出部２２０は、リモートコントローラ１３０から表示部１４０の方向に対して、リモートコントローラ１３０を中心とした、上下左右のそれぞれについて略２０度の範囲に含まれる方向に、指向性を有する。これにより、光検出部２２０は、表示部１４０が発する光を検出することができる。また、光検出部２２０は、遠隔操作部２１０がＤＶＤ−Ｖｉｄｅｏ再生装置１１０と無線通信を行うことにより検出した、リモートコントローラ１３０からＤＶＤ−Ｖｉｄｅｏ再生装置１１０への方向に対して略同一の方向に指向性を有していてもよい。こうすることにより、ＤＶＤ−Ｖｉｄｅｏ再生装置１１０が、表示部１４０の一例であるテレビ受像機等の近傍に設けられている場合に、表示部１４０が発する光を精度よく検出することができる。そして、光検出部２２０は、検出した光の量を示す情報を、画像変化検出部２３０に出力する。画像変化検出部２３０は、光検出部２２０により検出された光の量の変化に基づいて、表示部１４０により表示されている画像が変化するタイミングを検出する。そして、画像変化検出部２３０は、検出したタイミングを示す情報を、関連画像選択部２５０に出力する。
【００３０】
関連画像再生指示部２４０は、例えば、リモートコントローラ１３０に設けられた、「関連画像の再生」といった表示が付されたボタン等の入力手段を含み、表示部１４０により現在表示されている画像に対して関連度の高い画像である関連画像を再生するか否かを、当該入力手段を操作させることによって利用者に指示させる。そして、関連画像再生指示部２４０は、利用者が関連画像の再生を指示した場合に、その旨を関連画像選択部２５０に通知する。
【００３１】
関連画像選択部２５０は、関連画像再生指示部２４０により、関連画像の再生が利用者等により指示された旨を通知された場合に、ＤＶＤ−Ｖｉｄｅｏ再生装置１１０により再生されている画像における画像情報と、電子アルバムに含まれる複数の画像のうち、スライドショーにおいて表示される少なくとも一部の画像のそれぞれにおける画像情報との関連度に基づいて、当該少なくとも一部の画像に含まれる画像を、関連画像として選択する。ここで、関連画像選択部２５０は、画像変化検出部２３０により検出されたタイミングに基づいて判定した、表示部１４０により表示されている画像における画像情報と、スライドショーにおいて表示される画像のそれぞれにおける画像情報との関連度に基づいて、関連画像を選択してよい。具体的には、関連画像選択部２５０は、遠隔操作部２１０が、ＤＶＤ−Ｖｉｄｅｏ再生装置１１０に対して、一の画像を再生させるべく遠隔操作を行った後、画像変化検出部２３０が、表示部１４０により表示されている画像の変化を検出するまでは、表示部１４０には当該一の画像の直前に再生された画像が表示されていると判定すると共に、画像変化検出部２３０が、表示部１４０により表示されている画像の変化を検出した後は、表示部１４０には当該一の画像が表示されていると判定する。そして、関連画像選択部２５０は、表示部１４０により表示されていると判定した画像における画像情報に基づいて、関連画像を選択する。また、関連画像選択部２５０は、選択した関連画像を示す情報を、遠隔操作部２１０に出力する。
【００３２】
そして、遠隔操作部２１０は、関連画像選択部２５０が関連画像を選択した場合には、ＤＶＤ−Ｖｉｄｅｏ再生装置１１０におけるビデオストリームの再生位置を、関連画像選択部２５０により選択された関連画像の位置に変更させるべく、ＤＶＤ−Ｖｉｄｅｏ再生装置１１０を遠隔操作する。表示部１４０は、例えば外部映像入力端子を備えるテレビ受像機であり、ＤＶＤ−Ｖｉｄｅｏ再生装置１１０により再生されるビデオストリームを示す映像信号を受け取って表示する。また、表示部１４０は、ＤＶＤ−Ｖｉｄｅｏ再生装置１１０により再生されるオーディオストリームを示す音声信号を受け取って、スピーカ等を用いて出力してもよい。
【００３３】
本発明の実施形態に係る電子アルバム表示システム１０によれば、ＤＶＤ−Ｖｉｄｅｏディスク１００に格納されているビデオストリームをＤＶＤ−Ｖｉｄｅｏ再生装置１１０により再生する際に、リモートコントローラ１３０がＤＶＤ−Ｖｉｄｅｏ再生装置１１０を遠隔操作することにより、当該ビデオストリームにおける予め定められたスケジュールとは異なるスケジュール、具体的にはメモリカード２００に格納されているスケジュールでスライドショーを表示することができる。従来の電子アルバム表示システムにおいては、利用者は、ＤＶＤ−Ｖｉｄｅｏディスク１００に格納されているビデオストリームにおけるスケジュールとは異なるスケジュールでスライドショーを表示させたい場合、ラボ等に当該スケジュールに基づく新たなＤＶＤ−Ｖｉｄｅｏディスクの作成を依頼したり、また、新たなＤＶＤ−Ｖｉｄｅｏディスクを自ら作成したりする必要があった。しかし、本発明の実施形態に係るリモートコントローラ１３０を用いることによって、ＤＶＤ−Ｖｉｄｅｏディスク１００と、ＤＶＤプレイヤーやテレビ受像機等の一般的な家庭用電気機器とを用いながらも、予め定められたスケジュールとは異なるスケジュールでスライドショーを表示することができるので、利用者の負担を軽減することができる。
【００３４】
また、本発明の実施形態に係る電子アルバム表示システム１０によれば、リモートコントローラ１３０として、赤外線通信機能等の無線通信機能を有する携帯電話端末を利用することもできる。こうすることにより、リモートコントローラ１３０を別途購入するといった負担を利用者に強いることなく、予め定められたスケジュールとは異なるスケジュールでスライドショーを表示することができる。
【００３５】
更に、本発明の実施形態に係る電子アルバム表示システム１０によれば、スライドショーを鑑賞する複数の利用者のそれぞれがリモートコントローラ１３０を有することができる。これにより、１枚のＤＶＤ−Ｖｉｄｅｏディスク１００の再生時に、それぞれの利用者が有するリモートコントローラ１３０に挿入されたメモリカード２００に格納されているスケジュールのそれぞれを順次切り替えつつ用いて、スライドショーを表示することができる。
【００３６】
また、本発明の実施形態に係る電子アルバム表示システム１０によれば、スライドショーの表示中であっても、ＤＶＤ−Ｖｉｄｅｏディスク１００に格納されているビデオストリームにおけるスケジュール、及びメモリカード２００に格納されているスケジュールにより示される表示順序には関わりなく、表示されている画像に関連する画像を表示することができる。これにより、利用者の意図を反映した、利用者にとって満足度の高いスライドショーを提供することができる。
【００３７】
また、本発明の実施形態に係る電子アルバム表示システム１０によれば、ＤＶＤ−Ｖｉｄｅｏ再生装置１１０におけるビデオストリームの再生位置を操作するタイミングと、表示部１４０により表示される画像が変化するタイミングとのずれを考慮して、利用者が関連画像を再生するべく指示した時点に表示されていた画像を、より高い精度で検出することができる。
【００３８】
なお、電子アルバム表示システム１０の構成は、本図に示した構成には限定されず、本図に示した構成に多様な変更を加えてもよい。例えば、ＤＶＤ−Ｖｉｄｅｏディスク１００に格納されているビデオストリームは、ＭＰＥＧ２フォーマットによるビデオストリームでなく、例えばＭＰＥＧフォーマットやＭＰＥＧ４フォーマット等の、他のフォーマットによるビデオストリームであってもよい。また、ＤＶＤ−Ｖｉｄｅｏディスク１００は、ＶｉｄｅｏＣＤディスク等の、他のフォーマットまたは他の規格に基づいた、光学記録媒体、磁気記録媒体、光磁気記録媒体、半導体記録媒体等の記録媒体であってもよい。この場合、ＤＶＤ−Ｖｉｄｅｏ再生装置１１０は、それらの記録媒体を用いてビデオストリームを再生することのできる再生装置であってよい。
【００３９】
また、リモートコントローラ１３０は、メモリカード２００に代えて、他の交換可能な記録媒体を有してよく、また、交換可能な記録媒体に代えて、交換不可能な不揮発性メモリ等の記録媒体を有してもよい。ここで、リモートコントローラ１３０が交換不可能な記録媒体を有している場合、スケジュール生成装置１２０は、リモートコントローラ１３０と有線通信または無線通信を行うことにより、生成したスケジュールを当該記録媒体に格納していてよい。また、リモートコントローラ１３０は、有線通信または無線通信を行う通信手段を有し、ＤＶＤ−Ｖｉｄｅｏディスク１００の作成元等により作成されたスケジュールをインターネット等のネットワークを介して取得すると共に、取得したスケジュールに基づいてＤＶＤ−Ｖｉｄｅｏ再生装置１１０を制御することにより、当該スケジュールに基づいたスライドショーを表示させてもよい。
【００４０】
図２は、本発明の実施形態に係るメモリカード２００の第１の例を示す。メモリカード２００は、スライドショーのスケジュールとして、電子アルバムに含まれる複数の画像のうち、少なくとも一部の画像の再生順序、及び当該少なくとも一部の画像のそれぞれの、ビデオストリームにおける位置を示す情報を格納している。具体的には、メモリカード２００は、スライドショーのスケジュールとして、当該少なくとも一部の画像の再生順序、及び当該少なくとも一部の画像のそれぞれが含まれるチャプターを示す情報を格納している。より具体的には、メモリカード２００は、本図に示すように、電子アルバムに含まれる複数の画像のうち、スライドショーにおいて表示される少なくとも一部の画像について、それぞれの画像が含まれるチャプター、即ちＰＴＴを示す情報を、スライドショーとして表示される順に格納している。例えば、本図に示したスケジュールにおいては、スライドショーで最初に表示される画像は、３番目のチャプターにフレーム画像として含まれる。また、メモリカード２００は、スライドショーにおいて表示される画像のそれぞれの位置を示す情報として、当該画像が含まれるチャプターを示す情報に代えて、例えばビデオストリームの先頭等の予め定められた位置から当該画像までの再生時間を格納していてもよい。
【００４１】
更に、メモリカード２００は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。例えば、本図に示したスケジュールにおいては、スライドショーで最初に表示される画像の再生持続時間は３秒である。
【００４２】
更に、メモリカード２００は、スライドショーにおいて表示される画像のそれぞれについて、画像情報の一例である、当該画像の撮像日時を示す撮像日時情報を格納している。ここで、撮像日時情報とは、例えば、デジタルカメラ等がそれぞれの画像を撮像した際に、当該デジタルカメラが備えるカレンダー機能及び時計機能により取得された情報であってよい。そして、関連画像選択部２５０は、スライドショーにおいて表示される画像に含まれる一の画像の撮像日時と、ＤＶＤ−Ｖｉｄｅｏ再生装置１１０により再生されている画像の撮像日時との差が、予め定められた基準値より小さい場合に、当該一の画像を関連画像として選択する。ここで、予め定められた基準値とは、一の画像と他の画像とが、例えば一度の旅行中に撮像された場合等、それぞれの撮像日時において十分に高い関連度を示すと利用者が考える場合における撮像日時の差の基準値であり、例えば３日等として定められていてよい。
【００４３】
本発明の実施形態に係る電子アルバム表示システム１０によれば、利用者が、スライドショーにおいて表示されている画像に関連する画像を参照したいと考えた場合に、何れの画像を参照するかを特に指定することなく、関連画像再生指示部２４０を用いて指示するのみで、表示されている画像に対して撮像日時が近い画像を関連画像として表示することができる。
【００４４】
図３は、本発明の実施形態に係るメモリカード２００の第２の例を示す。メモリカード２００は、スライドショーのスケジュールとして、電子アルバムに含まれる複数の画像のうち、スライドショーにおいて表示される少なくとも一部の画像の再生順序、及び当該少なくとも一部の画像のそれぞれの、ビデオストリームにおける位置を示す情報を格納している。更に、メモリカード２００は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。
【００４５】
更に、メモリカード２００は、スライドショーにおいて表示される画像のそれぞれについて、画像情報の一例である、当該画像の撮像地点を示す撮像地点情報を格納している。ここで、撮像地点情報とは、例えば、デジタルカメラ等がそれぞれの画像を撮像した際に、当該デジタルカメラが備えるＧＰＳ（Ｇｌｏｂａｌ  Ｐｏｓｉｔｉｏｎｉｎｇ  Ｓｙｓｔｅｍ）機能により取得された、撮像地点の緯度及び経度を示す情報であってよい。そして、関連画像選択部２５０は、スライドショーにおいて表示される画像に含まれる一の画像の撮像地点と、ＤＶＤ−Ｖｉｄｅｏ再生装置１１０により再生されている画像の撮像地点との差が、予め定められた基準値より小さい場合に、当該一の画像を関連画像として選択する。ここで、予め定められた基準値とは、一の画像と他の画像とが、例えば一度の旅行中に撮像された場合等、それぞれの撮像地点において十分に高い関連度を示すと利用者が考える場合における撮像地点の差の基準値であり、例えば１０ｋｍ等として定められていてよい。
【００４６】
本発明の実施形態に係る電子アルバム表示システム１０によれば、利用者が、スライドショーにおいて表示されている画像に関連する画像を参照したいと考えた場合に、何れの画像を参照するかを特に指定することなく、関連画像再生指示部２４０を用いて指示するのみで、表示されている画像に対して撮像地点が近い画像を関連画像として表示することができる。
【００４７】
図４は、本発明の実施形態に係るメモリカード２００の第３の例を示す。メモリカード２００は、スライドショーのスケジュールとして、電子アルバムに含まれる複数の画像のうち、スライドショーにおいて表示される少なくとも一部の画像の再生順序、及び当該少なくとも一部の画像のそれぞれの、ビデオストリームにおける位置を示す情報を格納している。更に、メモリカード２００は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。
【００４８】
更に、メモリカード２００は、スライドショーにおいて表示される画像のそれぞれについて、画像情報の一例である、当該画像の内容を示す画像内容情報を格納している。ここで、画像内容情報とは、例えば、画像に含まれる被写体の種類等を示す情報であってよい。具体的には、メモリカード２００は、公知の画像認識技術を用いることにより、それぞれの画像について予め抽出された被写体の種類、例えば「海」や「花」等を示す情報を、当該画像に対応付けて格納していてよい。そして、関連画像選択部２５０は、スライドショーにおいて表示される画像のそれぞれにおける画像内容情報と、ＤＶＤ−Ｖｉｄｅｏ再生装置１１０により再生されている画像における画像内容情報との関連度に基づいて、スライドショーにおいて表示される画像から関連画像を選択する。具体的には、関連画像選択部２５０は、スライドショーにおいて表示される画像に含まれる一の画像における画像内容情報が、ＤＶＤ−Ｖｉｄｅｏ再生装置１１０により再生されている画像における画像内容情報に対して、一致している、または他の画像における画像内容情報に比べて高い類似度を示す場合に、当該一の画像を関連画像として選択する。
【００４９】
本発明の実施形態に係る電子アルバム表示システム１０によれば、利用者が、スライドショーにおいて表示されている画像に関連する画像を参照したいと考えた場合に、何れの画像を参照するかを特に指定することなく、関連画像再生指示部２４０を用いて指示するのみで、表示されている画像に含まれる被写体と同一の被写体を含む等、その内容において関連度の高い画像を、関連画像として表示することができる。
【００５０】
なお、メモリカード２００は、図２から図４にかけて説明した画像情報の他に、多様な画像情報を格納していてよい。例えば、メモリカード２００は、電子アルバムに含まれる複数の画像のうち、スライドショーにおいて表示される少なくとも一部の画像のそれぞれについて、当該画像の特徴を示すキーワードを格納していてよい。ここで、キーワードとは、例えば、利用者により、予めそれぞれの画像に対応付けられたキーワードであってよい。この場合、関連画像選択部２５０は、スライドショーにおいて表示される画像のそれぞれにおけるキーワードと、ＤＶＤ−Ｖｉｄｅｏ再生装置１１０により再生されている画像におけるキーワードとの関連度に基づいて、スライドショーにおいて表示される画像から関連画像を選択する。具体的には、関連画像選択部２５０は、スライドショーにおいて表示される画像に含まれる一の画像におけるキーワードと、ＤＶＤ−Ｖｉｄｅｏ再生装置１１０により再生されている画像におけるキーワードとが、一致している、または他の画像のキーワードに比べて高い類似度を示す場合に、当該一の画像を関連画像として選択する。これにより、利用者が、スライドショーにおいて表示されている画像に関連する画像を参照したいと考えた場合に、何れの画像を参照するかを特に指定することなく、関連画像再生指示部２４０を用いて指示するのみで、表示されている画像のキーワードに対して関連度の高いキーワードに対応する画像を、関連画像として表示することができる。
【００５１】
また、図２から図４にかけて説明したメモリカード２００のそれぞれは、単一の画像情報のみを画像に対応付けて格納しているが、これに代えて、メモリカード２００は、複数の画像情報を１つの画像に対応付けて格納していてもよい。
【００５２】
図５は、本発明の実施形態に係る電子アルバム表示システム１０における処理の流れの一例を示すフローチャートである。本例において、ＤＶＤ−Ｖｉｄｅｏディスク１００は、既にＤＶＤ−Ｖｉｄｅｏ再生装置１１０に挿入されているとする。また、遠隔操作部２１０は、例えば、再生の開始を示す赤外線信号をＤＶＤ−Ｖｉｄｅｏ再生装置１１０に送信することにより、ＤＶＤ−Ｖｉｄｅｏ再生装置１１０にビデオストリームの再生を開始させているとする。以下、電子アルバム表示システム１０が、ＤＶＤ−Ｖｉｄｅｏディスク１００に格納されているビデオストリームにより定められたスケジュールとは異なるスケジュールに従ってスライドショーを表示する処理の流れを説明する。
【００５３】
電子アルバム表示システム１０は、以下の処理を、メモリカード２００に格納されているスケジュールにより示される、電子アルバムに含まれる複数の画像のうち少なくとも一部の画像における再生順序に従って、当該少なくとも一部の画像のそれぞれについて繰り返す（Ｓ１０００）。
【００５４】
まず、遠隔操作部２１０は、ＤＶＤ−Ｖｉｄｅｏ再生装置１１０におけるビデオストリームの再生位置を、メモリカード２００に格納されているスケジュールが示す当該画像の位置に変更させるべく、ＤＶＤ−Ｖｉｄｅｏ再生装置１１０を遠隔操作する（Ｓ１０１０）。具体的には、遠隔操作部２１０は、ビデオストリームの再生位置を、メモリカード２００に格納されているスケジュールが示す、当該画像が含まれるチャプターの先頭位置に変更させるべく、ＤＶＤ−Ｖｉｄｅｏ再生装置１１０を遠隔操作する。例えば、遠隔操作部２１０は、当該チャプターの先頭位置へ再生位置を変更する旨を示す赤外線信号をＤＶＤ−Ｖｉｄｅｏ再生装置１１０に送信することにより、ビデオストリームの再生位置を所望のチャプターに変更させる。このようにして、遠隔操作部２１０は、ＤＶＤ−Ｖｉｄｅｏ再生装置１１０に当該画像を再生させると共に、表示部１４０に当該画像を表示させる。また、ＤＶＤ−Ｖｉｄｅｏ再生装置１１０は、遠隔操作部２１０から遠隔操作されない場合には、通常通りにビデオストリームの再生を続行してよい。これにより、電子アルバム表示システム１０は、例えば、遠隔操作部２１０からの無線通信信号が、一時的にＤＶＤ−Ｖｉｄｅｏ再生装置１１０に届かない場合であっても、スライドショーの表示を中断することなく続行することができる。また、これにより、電子アルバム表示システム１０は、メモリカード２００に格納されているスケジュールにおいて、前後して表示するべく示されている２つの画像のそれぞれが含まれるチャプターが、同様に前後して存在している場合に、遠隔操作部２１０がＤＶＤ−Ｖｉｄｅｏ再生装置１１０を遠隔操作しなくとも、スケジュールに従って画像を表示させることができる。なお、遠隔操作部２１０は、ビデオストリームの再生位置を、当該画像が含まれるチャプターの先頭位置に変更するのに代えて、チャプター内の他の位置に変更してもよい。
【００５５】
続いて、遠隔操作部２１０は、ＤＶＤ−Ｖｉｄｅｏ再生装置１１０により当該画像が再生された状態で、ビデオストリームの再生を一時停止させるべく、ＤＶＤ−Ｖｉｄｅｏ再生装置１１０を遠隔操作する（Ｓ１０２０）。例えば、遠隔操作部２１０は、再生の一時停止を示す赤外線信号をＤＶＤ−Ｖｉｄｅｏ再生装置１１０に送信することにより、ビデオストリームの再生を一時停止させる。続いて、関連画像選択部２５０は、利用者により指示された場合に、表示部１４０により表示されている画像に関連する関連画像を選択する（Ｓ１０３０）。続いて、リモートコントローラ１３０は、関連画像選択部２５０により、関連画像が選択されたか否かを判定する（Ｓ１０４０）。
【００５６】
関連画像選択部２５０により関連画像が選択された場合（Ｓ１０４０：Ｙｅｓ）、遠隔操作部２１０は、選択された関連画像を、ＤＶＤ−Ｖｉｄｅｏ再生装置１１０によって現在再生されている画像の次に再生される画像として選択する（Ｓ１０５０）。つまり、遠隔操作部２１０は、現在再生されている画像と、当該画像の次に再生される画像との間に、選択された関連画像を挿入することにより、スライドショーにおけるスケジュールを変更する。こうすることにより、利用者は、メモリカード２００に格納されているスケジュールに従ってスライドショーが表示されている状態で、一の画像について関連画像を参照した場合であっても、その後、元のスケジュールに基づくスライドショーを鑑賞することができる。なお、遠隔操作部２１０は、スケジュールを変更する場合に、関連画像の再生持続時間を、例えば５秒等の予め定められた時間として設定してもよい。
【００５７】
一方、関連画像選択部２５０により関連画像が選択されていない場合（Ｓ１０４０：Ｎｏ）、遠隔操作部２１０は、ＤＶＤ−Ｖｉｄｅｏ再生装置１１０にビデオストリームの再生を一時停止させた後、メモリカード２００に格納されているスケジュールにより示される、当該画像における再生持続時間が経過したか否かを判定する（Ｓ１０６０）。そして、遠隔操作部２１０が、未だ再生持続時間が経過していないと判定した場合（Ｓ１０６０：Ｎｏ）、電子アルバム表示システム１０は、処理をＳ１０３０に戻す。
【００５８】
一方、再生持続時間が経過していると判定した場合、つまり、再生持続時間の間、ＤＶＤ−Ｖｉｄｅｏ再生装置１１０において一時停止状態が持続されていると判定した場合（Ｓ１０６０：Ｙｅｓ）、または、選択された関連画像を次に再生される画像として選択した（Ｓ１０５０）後で、遠隔操作部２１０は、ＤＶＤ−Ｖｉｄｅｏ再生装置１１０におけるビデオストリームの再生の一時停止を解除させる（Ｓ１０７０）。具体的には、遠隔操作部２１０は、再生の一時停止の解除を示す赤外線信号をＤＶＤ−Ｖｉｄｅｏ再生装置１１０に送信することにより、ビデオストリームの再生の一時停止を解除させる。
【００５９】
そして、電子アルバム表示システム１０は、以上の処理を、電子アルバムに含まれる複数の画像のうち、少なくとも一部の画像のそれぞれ、及び関連画像として選択された画像のそれぞれについて繰り返す（Ｓ１０８０）。
【００６０】
本発明の実施形態に係る電子アルバム表示システム１０によれば、メモリカード２００に格納されているスケジュールに従って、ＤＶＤ−Ｖｉｄｅｏ再生装置１１０におけるビデオストリームの再生位置を順次変更することにより、ビデオストリームにおける構成及び順序とは異なる構成及び順序で、電子アルバムに含まれる画像をスライドショーとして順次表示することができる。
【００６１】
また、本発明の実施形態に係る電子アルバム表示システム１０によれば、スライドショーとして表示する画像が再生された状態で、ビデオストリームの再生を一時停止すると共に、メモリカード２００に格納されているスケジュールにより示される再生持続時間の間、一時停止状態を持続することにより、ビデオストリームにおいて予め定められた画像毎の表示時間とは異なる表示時間で、それぞれの画像を表示することができる。
【００６２】
更に、ビデオストリームの再生を一時停止して、それぞれの画像を表示させ続けることにより、ビデオストリームにおいてそれぞれの画像がフレーム画像として含まれる時間を、表示時間より短くすることができる。これにより、ビデオストリームの再生位置を変更したり、また再生を一時停止したりすることなくスライドショーを表示する場合に比べて、１枚のＤＶＤ−Ｖｉｄｅｏディスク１００に、より多くの画像を格納することができる。
【００６３】
なお、電子アルバム表示システム１０における処理の流れは、本図に示した内容に限定されず、本図に示した内容に多様な変更を加えてもよい。例えば、遠隔操作部２１０は、ビデオストリームの再生の一時停止を、次の画像を表示すべく再生位置を変更させた後で解除させてもよい。これにより、再生の一時停止を解除した後で、次の画像を示すフレーム画像に再生位置を変更する場合に、他の画像を示す不適切なフレーム画像が再生される様な、各画像の収録時間が短いビデオストリームを用いる場合であっても、不適切なフレーム画像が再生されることを防止することができる。
【００６４】
また、ＤＶＤ−Ｖｉｄｅｏ再生装置１１０が、ビデオストリームの再生位置の変更に伴い、再生の一時停止を自動的に解除する場合には、遠隔操作部２１０は、再生の一時停止の解除を行わなくともよい。また、例えば、電子アルバムに含まれる複数の画像のそれぞれが含まれるチャプター内のＰＧＣ（Ｐｒｏｇｒａｍ  Ｃｈａｉｎ）の再生後に実行されるポストコマンドとして再生の一時停止が登録されている場合等のように、それぞれの画像を再生した状態で、ＤＶＤ−Ｖｉｄｅｏ再生装置１１０がビデオストリームの再生を一時停止するべく、ビデオストリームが作成されている場合、遠隔操作部２１０は、ビデオストリームの再生を一時停止させるべくＤＶＤ−Ｖｉｄｅｏ再生装置１１０を遠隔制御しなくともよい。
【００６５】
図６は、図５に示したＳ１０３０における処理の流れの一例を示すフローチャートである。まず、関連画像選択部２５０は、関連画像再生指示部２４０からの通知に基づいて、利用者等によって関連画像の再生が指示されたか否かを判定する（Ｓ１１００）。関連画像の再生が指示された場合（Ｓ１１００：Ｙｅｓ）、関連画像選択部２５０は、表示部１４０によって、現在、何れの画像が表示されているかを検出する（Ｓ１１１０）。具体的には、関連画像選択部２５０は、遠隔操作部２１０が、ＤＶＤ−Ｖｉｄｅｏ再生装置１１０に一の画像を再生させるべく、ＤＶＤ−Ｖｉｄｅｏ再生装置１１０を遠隔操作したタイミングと、画像変化検出部２３０が、表示部１４０により表示されている画像の変化を検出したタイミングとに基づいて、表示部１４０により表示されている画像が、当該一の画像であるか、または当該一の画像の直前に再生されていた画像であるかを判定する。
【００６６】
続いて、関連画像選択部２５０は、画像変化検出部２３０が検出した、表示部１４０により表示されている画像が変化したタイミングに基づいて、現在表示されている画像が表示された時点からの経過時間を算出し、算出した経過時間が、予め定められた基準値以上であるか否かを判定する（Ｓ１１２０）。ここで、予め定められた基準値とは、利用者が、表示されている画像を見ることによって当該画像の関連画像を参照したいと考えてから、関連画像再生指示部２４０に含まれるボタン等を用いて、リモートコントローラ１３０にその旨を指示するまでに要する時間の基準値であり、例えば１秒等として定められてよい。
【００６７】
そして、算出した経過時間が、基準値以上であると判断した場合（Ｓ１１２０：Ｙｅｓ）、関連画像選択部２５０は、関連画像を参照したいと利用者が判断した画像として、表示部１４０によって現在表示されている画像を選択する（Ｓ１１３０）。一方、算出した経過時間が、基準値以下であると判断した場合（Ｓ１１２０：Ｎｏ）、関連画像選択部２５０は、関連画像を参照したいと利用者が判断した画像として、表示部１４０によって、現在表示されている画像の直前に表示されていた画像を選択する（Ｓ１１４０）。
【００６８】
そして、関連画像選択部２５０は、関連画像を参照したいと利用者が判定したとして選択した画像の画像情報と、電子アルバムに含まれる画像のうち、スライドショーとして表示される少なくとも一部の画像のそれぞれにおける画像情報との関連度に基づいて、当該少なくとも一部の画像から関連画像を選択する（Ｓ１１５０）。こうすることにより、利用者における、関連画像を参照したいと考えたタイミングと、リモートコントローラ１３０に設けられたボタン等を操作することによりその旨を指示するタイミングとのずれを考慮して、利用者が関連画像を参照したいと考えた画像を、高い精度で検出することができる。
【００６９】
なお、関連画像選択部２５０は、複数の関連画像を連続して選択する場合に、当該複数の関連画像のうち、既に選択された関連画像のそれぞれが選択された時点で再生されていた画像のすべて、及びＤＶＤ−Ｖｉｄｅｏ再生装置１１０により現在再生されている画像に共通する画像情報と、電子アルバムに含まれる複数の画像のうち、スライドショーにおいて表示される少なくとも一部の画像のそれぞれにおける画像情報との関連度に基づいて、当該少なくとも一部の画像から関連画像を選択してもよい。
【００７０】
具体的に、利用者が、関連画像再生指示部２４０を用いて、複数の関連画像を連続して再生させるべく指示した場合、例えば、画像Ａがスケジュールに従って再生されている状態で関連画像の再生を指示することにより、画像Ｂが再生され、画像Ｂが再生されている状態で関連画像の再生を更に指示することにより、画像Ｃが再生され、画像Ｃが再生されている状態で関連画像の再生を更に指示した場合を考える。この場合、関連画像選択部２５０は、画像Ｃの画像情報と、電子アルバムに含まれる複数の画像のうち、スライドショーにおいて表示される少なくとも一部の画像のそれぞれにおける画像情報との関連度に基づいて関連画像を選択するのではなく、画像Ａ、画像Ｂ、及び画像Ｃに共通する画像情報と、当該少なくとも一部の画像のそれぞれにおける画像情報との関連度に基づいて関連画像を選択する。これにより、利用者が複数の関連画像の再生を連続して指示した場合に、当該複数の関連画像として、撮像日時や撮像地点が近接する画像や、内容に一貫性のある画像を選択することができるので、連続して関連画像の参照を指示した利用者の意図を強く反映したスライドショーを提供することができる。
以上のようにして、関連画像選択部２５０は、利用者が関連画像の再生を指示した場合に、関連画像を選択することができる。
【００７１】
図７は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＤＶＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７２】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７３】
入出力コントローラ１５８４は、ホスト・コントローラ１５８２と、比較的高速な入出力装置である通信インターフェイス１５３０、ハードディスクドライブ１５４０、ＤＶＤ−ＲＯＭドライブ１５６０を接続する。また、入出力コントローラ１５８４は、コンピュータ１５００に設けられたスロットに挿入される等してコンピュータ１５００に接続されたメモリカード２００と通信し、メモリカード２００からプログラム又はデータを入力すると共に、メモリカード２００に、プログラム、又は、例えばコンピュータ１５００において作成されたスケジュールや取得された画像情報等のデータを出力する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＤＶＤ−ＲＯＭドライブ１５６０は、ＤＶＤ−ＲＯＭ１５９５からプログラム又はデータを読み取り、ＲＡＭ１５２０を介してハードディスクドライブ１５４０に提供する。
【００７４】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７５】
ＲＡＭ１５２０を介してハードディスクドライブ１５４０に提供されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図６にかけて説明したスケジュール生成装置１２０として機能させるスケジュール生成プログラムである。
【００７６】
また、メモリカード２００に出力されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してメモリカード２００に出力され、リモートコントローラ１３０に提供される。リモートコントローラ１３０に提供されるプログラムは、リモートコントローラ１３０においてインストールされて実行される。リモートコントローラ１３０にインストールされて実行されるプログラムは、リモートコントローラ１３０を、図１から図６にかけて説明したリモートコントローラ１３０として機能させるリモートコントロールプログラムである。なお、リモートコントローラ１３０に提供されるプログラムは、本図に示した形態に限定されず、他の形態でリモートコントローラ１３０に提供されてもよい。
【００７７】
以上に示したプログラムは、外部の記憶媒体に格納されてもよい。記憶媒体としては、フレキシブルディスク１５９０、ＤＶＤ−ＲＯＭ１５９５の他に、ＣＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７９】
【図１】本発明の実施形態に係る電子アルバム表示システム１０の構成の一例を示すブロック図である。
【図２】本発明の実施形態に係るメモリカード２００の第１の例を示す図である。
【図３】本発明の実施形態に係るメモリカード２００の第２の例を示す図である。
【図４】本発明の実施形態に係るメモリカード２００の第３の例を示す図である。
【図５】本発明の実施形態に係る電子アルバム表示システム１０における処理の流れの一例を示すフローチャートである。
【図６】図５に示したＳ１０３０における処理の流れの一例を示すフローチャートである。
【図７】本発明の実施形態に係るコンピュータ１５００のハードウェア構成の一例を示すブロック図である。
【符号の説明】
【００８０】
１０  電子アルバム表示システム、１００  ＤＶＤ−Ｖｉｄｅｏディスク、１１０  ＤＶＤ−Ｖｉｄｅｏ再生装置、１２０  スケジュール生成装置、１３０  リモートコントローラ、１４０  表示部、２００  メモリカード、２１０  遠隔操作部、２２０  光検出部、２３０  画像変化検出部、２４０  関連画像再生指示部、２５０  関連画像選択部
【図１】
2005341510.tif 000003
【図２】
2005341510.tif 000004
【図３】
2005341510.tif 000005
【図４】
2005341510.tif 000006
【図５】
2005341510.tif 000007
【図６】
2005341510.tif 000008
【図７】
2005341510.tif 000009